(57)【要約】      （修正有）【課題】スラスト玉軸受用保持器の剛性を低下させることなく、転動体を貫通孔内へ入れ易く、脱落し難いスラスト玉軸受用保持器及び、当該スラスト玉軸受用保持器を備えるスラスト玉軸受を提供する。【解決手段】転動体７を転動自在に保持し、軸方向に貫通する複数の貫通孔１１を円周方向で等間隔に備える環状のスラスト玉軸受用保持器９であって、前記貫通孔１１の周縁に、前記転動体７を保持する環状受座１３が軸方向に突設され、前記環状受座１３の貫通孔１１と反対側に凹部１３ｃを有する。【選択図】図２
2008002652.tif 000002
【特許請求の範囲】
【請求項１】
転動体を転動自在に保持し、軸方向に貫通する複数の貫通孔を円周方向で等間隔に備える環状のスラスト玉軸受用保持器であって、
前記貫通孔の周縁に、前記転動体を保持する環状受座が軸方向に突設され、前記環状受座の貫通孔と反対側に凹部を有するスラスト玉軸受用保持器。
【請求項２】
前記貫通孔の径が、前記環状受座に向かって狭くなる請求項１に記載のスラスト玉軸用保持器。
【請求項３】
前記凹部の径方向断面は、円弧形状である請求項１に記載のスラスト玉軸用保持器。
【請求項４】
前記保持器は、隣接する前記貫通孔の環状受座を互いに連結する連結部を備える請求項１に記載のスラスト玉軸受用保持器。
【請求項５】
前記凹部は、前記連結部以外に設けられている請求項４に記載のスラスト玉軸受用保持器。
【請求項６】
前記スラスト玉軸受用保持器を備える請求項１〜５のいずれか一項に記載のスラスト玉軸受。
【発明の詳細な説明】
【技術分野】
【０００１】
本発明は、工作機械、建設機械、農業機械、運搬機械等の産業機械の回転部に使用されるスラスト玉軸受及びそのスラスト玉軸受用保持器に関する。
【背景技術】
【０００２】
従来より、円周方向の数箇所に軸方向に貫通して一つずつの転動体を転動自在に保持する貫通孔を備える弾性の合成樹脂製のスラスト玉軸受用保持器が利用されている。貫通孔は、その内面が保持すべき転動体の外形に沿った球面形に形成され、軸方向両端の開口寸法を玉の直径よりも小さく設定することで転動体の脱落を防止している。
【０００３】
図３（ａ）は、従来のスラスト玉軸受用保持器の部分正面図であり、図３（ｂ）は、図３（ａ）のＩＩＩＢに沿った断面図である。弾性のある合成樹脂から作製された環状の保持器１０９は、転動体１０７（図３（ｂ）参照。）を転動可能に保持する貫通孔１１１と、貫通孔１１１の周縁から突設し、転動体１０７を保持するための環状受座１１３と、を備える。さらに、貫通孔１１１同士の最も近接する対向位置において、各環状受座１１３に周方向で所定長さの一対の切り欠き部１１５、１１７が設けられている。従って、環状受座１１３は、周方向に２つの弧状部分１１３ａ、１１３ｂに分断された非連続なものとなっている。
【０００４】
上記構成の保持器１０９に対する転動体１０７の組み込み作業は、環状受座１１３の弾性を利用して行われ、まず、環状受座１１３ａ、ｂを貫通孔１１１の径方向外方に撓ませ、転動体１１１を貫通孔１１１内に組み込む。図３（ｂ）から明らかなように、環状受座１１３の軸方向における先端部１１３ｃ、ｄの開口寸法は、転動体１０７の直径に比べ十分に小さく寸法付けされている。よって、転動体１０７が貫通孔１１１から脱落することなく、貫通孔１１１内に保持される（特許文献１参照。）。
【特許文献１】実公平７−２９２９９号公報（請求項１、実施例、図１等）
【発明の開示】
【発明が解決しようとする課題】
【０００５】
上述した従来のスラスト玉軸受用保持器の環状受座１１３は、周方向に非連続的な２つの弧状部分１１３ａ、１１３ｂから構成されている。したがって、スラスト玉軸受用保持器を、軽量化及び小型化の観点から薄肉の合成樹脂材料から作製すると、保持器の剛性が十分に得られない恐れがある。剛性が不十分の場合、保持器から転動体が脱落したり、保持できる転動体の数が制限される場合がある。結果的に、スラスト玉軸の軸受としての性能の低下や軸受寿命が短くなる恐れがある。
そこで、本発明は、スラスト玉軸受用保持器の剛性を低下させることなく、転動体を貫通孔内へ入れ易く、脱落し難いスラスト玉軸受用保持器及び、当該スラスト玉軸受用保持器を備えるスラスト玉軸受を提供することを目的とする。
【課題を解決するための手段】
【０００６】
上記課題を解決するためのスラスト玉軸受用保持器の第１の態様は、転動体を転動自在に保持し、軸方向に貫通する複数の貫通孔を円周方向で等間隔に備える環状のスラスト玉軸受用保持器であって、前記貫通孔の周縁に、前記転動体を保持する環状受座が軸方向に突設され、前記環状受座の貫通孔と反対側に凹部を有する。
【０００７】
上記構成によれば、貫通孔の周縁に環状受座を設けているので、スラスト玉軸受用保持器の剛性を低下させることがない。また、環状受座の貫通孔の反対側に凹部を設けることにより、環状受座を撓ませるために必要な応力を低く抑えることが可能となる。
スラスト玉軸受用保持器の第２の態様では、前記貫通孔の径が、前記環状受座に向かって狭くなる。
【０００８】
スラスト玉軸受用保持器の第３の態様では、前記凹部の径方向断面は、円弧形状である。
スラスト玉軸受用保持器の第４の態様では、前記保持器は、隣接する前記貫通孔の環状受座を互いに連結する連結部を備える。上記構成により、貫通孔を連結する連結部を設けることにより保持器全体の剛性を確保することができる。
【０００９】
スラスト玉軸受用保持器の第５の態様では、前記凹部は、前記連結部以外に設けられている。環状受座の連結部との連結部分に凹部を設けない構成とすることで、保持器の剛性を保持しつつ、転動体を組み込むために必要な環状受座の領域を撓み易い構成とできる。
さらに、上記課題を解決するためのスラスト玉軸受の態様は、前記第１〜第５の態様のいずれかを備えるスラスト玉軸受である。
【発明の効果】
【００１０】
本発明によれば、貫通孔の周縁に環状受座を設け、スラスト玉軸受用保持器の剛性を確保するとともに、環状受座の貫通孔と反対側に凹部を設けることにより、転動体を貫通孔内へ入れ易く、かつ転動体が脱落し難いスラスト玉軸受用保持器及び、当該スラスト玉軸受用保持器を備えるスラスト玉軸受を提供することができる。
【発明を実施するための最良の形態】
【００１１】
以下、本発明のスラスト玉軸受用保持器及び当該スラスト玉軸受用保持器を備えるスラスト玉軸受の実施形態について図面を参照しつつ説明する。各図面中、同一要素は同一符号で示してある。
【００１２】
図１は、スラスト玉軸受の一部を示す径方向における断面図である。スラスト玉軸受１は、互いに軸方向に対向配置される環状の第１軌道輪３及び第２軌道輪５と、第１軌道輪３及び第２軌道輪３の間に配置された複数の球状部材、すなわち転動体７と、複数の転動体７を周方向で等間隔に転動可能に保持する環状の保持部９と、を備える。
【００１３】
第１軌道輪３の軸方向の側面（図１の下面）には、幅方向のほぼ中央であって、径方向断面が円弧状で、第１軌道輪３の周方向に延在する第１軌道面１１が設けられている。第１軌道輪３と同じ寸法及び形状である第２軌道輪５の軸方向の側面（図１の上面）には、幅方向のほぼ中央であって、径方向断面が円弧状で、第２軌道輪５の周方向に延在する第２軌道面１３が設けられている。上記第１軌道輪３及び第２軌道輪５は、第１軌道面１１及び第２軌道面１３とは対向して配置される。第１軌道輪３と第２軌道輪５との間に配置される球状の転動体７は、後述の保持器９により保持され第１軌道面１１及び第２軌道面１３により形成される軌道上を転動する。上記構成で、第１軌道輪３と第２軌道輪５とは、互いに相対回転可能な構成となっている。以下に転動体７を保持する保持器９について図２を参照して詳述する。
【００１４】
図２（ａ）は、保持器の一部を示す正面図であり、図２（ｂ）は、図２（ａ）の線ＩＩＢに沿った断面図であり、図２（ｃ）は、図２（ｂ）のＩＩＣ部の拡大図である。
スラスト玉軸受用の保持器９は、合成樹脂の環状部材から作製されたもので、転動体７（図２（ｂ）参照。）を収容保持するための貫通孔１１を備える。貫通孔１１は、保持器９の周方向に等間隔に配置され、貫通孔１１の軸方向の中央では貫通孔の直径は最大径であり、転動体７の直径とほぼ同じか若干大きく寸法付けされている。そして、貫通孔１１の直径は、保持器の軸方向に対向する面（図２（ｂ）の上面９ａ及び下面９ｂ）に向かい小さくなっていく。よって、貫通孔１１の径は、軸方向に対向する面９ａ、９ｂにおいては、転動体７の径より十分に小さく寸法付けされている。さらに、保持器９の貫通孔１１の周縁には、転動体７を貫通孔１１内に保持する環状受座１３が設けられ、環状受座１３は、貫通孔１１の周縁から軸方向外側に突出している。
【００１５】
また、隣接する貫通孔１１、１２間の最も近接する位置において各環状受座１３、１４は、連結部１５により連結されている。連結部１５は、保持器９の軸方向に対向する面（９ａ、９ｂ）上で周方向に延在する弧状部分であり、貫通孔１１により分断された非連続なものである。連結部１５の周方向の一端部は、貫通孔１１の環状受座１３に連結し、連結部１５の周方向の他端部は、隣接する貫通孔１２の環状受座１４に連結している。図２（ａ）、（ｂ）に示されるように、連結部１５の軸方向面１５ａと、環状受座１３の軸方向面１３ａとは同一面上に延在し、連結部１５と環状受座１３（１４）は同じ高さとなっている。
さらに、環状受座１３について図２（ｂ）及び図２（ｃ）を参照して詳述する。
【００１６】
環状受座１３の、径方向の外側の背面部には、凹部１３ｃが設けられている。但し、環状受座１３の連結部１５に接続する部分には、凹部は設けられていない。よって、一つの環状受座１３に対して、断面円弧状の凹部１３ｃを２つ有することになる。さらに、環状受座１３の環状傾斜面１３ｄの半径方向断面との交線Ｙと、保持器９の径方向に対する垂線ｙとは、角度αを形成している。すなわち、環状受座１３の開口部に面取りした環状傾斜面１３ｄを設けることにより、転動体７を貫通孔１１へ組み込む際、環状受座１３の軸方向の先端部による転動体７への干渉を防止し、組み込みを容易にできる。
【００１７】
上記構成のスラスト玉軸受用保持器１１において、環状受座１３を凹部１３ａ側に撓ませることにより、環状受座１３の開口を拡開し、転動体７を貫通孔内に組み込む。
なお、上記実施形態において、凹部を円弧断面形状としたが、本発明の凹部はこの形状に限定するものではない。すなわち、環状受座の貫通孔と反対側に径方向断面が凹状である凹部を設ければよい。凹部を設けることにより、部材を撓み易くできるからである。
【００１８】
この発明は、その本質的特性から逸脱することなく数多くの形式のものとして具体化することができる。よって、上述した実施形態は専ら説明上のものであり、本発明を制限するものではないことは言うまでもない。
【図面の簡単な説明】
【００１９】
【図１】本発明のスラスト玉軸受の実施形態の径方向における一部断面図である。
【図２】（ａ）は、保持器の部分正面図であり、（ｂ）は、図２（ａ）の線ＩＩＢに沿った断面図であり、（ｃ）は、図２（ｂ）のＩＩＣ部の拡大図である。
【図３】従来の半田供給部を備える半田付け装置の部分断面図である。
【符号の説明】
【００２０】
１                  スラスト玉軸受け
７                  転動体
９                  保持器
１１、１２          貫通孔
１３                環状受座
１３ｃ              凹部
１５                連結部
【図１】
2008002652.tif 000003
【図２】
2008002652.tif 000004
【図３】
2008002652.tif 000005